【手続補正書】
【提出日】平成18年11月7日(2006.11.7)
【手続補正１】
【補正対象書類名】明細書
【補正対象項目名】発明の名称
【補正方法】変更
【補正の内容】
【発明の名称】レンズ調芯機構及び撮像装置
【手続補正２】
【補正対象書類名】明細書
【補正対象項目名】特許請求の範囲
【補正方法】変更
【補正の内容】
【特許請求の範囲】
【請求項１】  光学機器の鏡筒に配置されるレンズの傾きを調整するレンズ調芯機構において、
略円筒状に形成されて内部にレンズを保持するとともに、外周部に径方向に延出した係合アーム部を有するレンズ枠と、
前記鏡筒に設けられたレンズ枠保持部であって、前記レンズ枠を収納する略円筒状に形成され、内周部に前記レンズ枠の外周部に摺動自在に嵌合し、前記レンズ枠をレンズの光軸上の点を中心に回転可能にガイドするガイド部を有するとともに、前記レンズ枠の係合アーム部を外径方向に延出させるための切り欠き部を有するレンズ枠保持部と、
前記レンズ枠をレンズ枠保持部側に押圧し、レンズ枠の外周部とレンズ枠保持部のガイド部とを嵌合状態に保持するバネ部材と、
前記レンズ枠保持部の外周部に沿って略円環状に形成され、周回り方向に回転可能に設けられ、前記レンズ枠保持部の外径方向に延出したレンズ枠の係合アーム部に対向する面に前記係合アーム部を押圧する傾斜部を有する傾き調整部材とを有し、
前記傾き調整部材を周回り方向に回転操作することにより、前記傾き調整部材の傾斜部による前記係合アーム部の押圧位置を変位させて前記レンズ枠をレンズの光軸上の点を中心に回転させてレンズの傾き調整を行うようにした、
ことを特徴とするレンズ調芯機構。
【請求項２】  前記レンズ枠の外周部が光軸上の点を中心とする部分的な球面形状に形成されていることを特徴とする請求項１記載のレンズ調芯機構。
【請求項３】  前記バネ部材は、前記レンズ枠保持部の外周部に沿って配置される円環状の板バネ状に形成され、前記係合アーム部をレンズ枠保持部側に押圧することを特徴とする請求項３記載のレンズ調芯機構。
【請求項４】  前記係合アーム部は、互いに直交する２軸方向に延出した第１の係合アーム部と第２の係合アーム部とを有し、前記傾き調整部材は、前記第１の係合アーム部を押圧する傾斜部を有する第１の傾き調整部材と、前記第２の係合アーム部を押圧する傾斜部を有する第２の傾き調整部材とを有することを特徴とする請求項１記載のレンズ調芯機構。
【請求項５】  前記傾き調整部材は、外径方向に延出した操作片を有することを特徴とする請求項１記載のレンズ調芯機構。
【請求項６】 鏡筒に配置されるレンズの傾きを調整するレンズ調芯機構を有する撮像装置において、
前記レンズ調芯機構は、
略円筒状に形成されて内部にレンズを保持するとともに、外周部に径方向に延出した係合アーム部を有するレンズ枠と、
前記鏡筒に設けられたレンズ枠保持部であって、前記レンズ枠を収納する略円筒状に形成され、内周部に前記レンズ枠の外周部に摺動自在に嵌合し、前記レンズ枠をレンズの光軸上の点を中心に回転可能にガイドするガイド部を有するとともに、前記レンズ枠の係合アーム部を外径方向に延出させるための切り欠き部を有するレンズ枠保持部と、
前記レンズ枠をレンズ枠保持部側に押圧し、レンズ枠の外周部とレンズ枠保持部のガイド部とを嵌合状態に保持するバネ部材と、
前記レンズ枠保持部の外周部に沿って略円環状に形成され、周回り方向に回転可能に設けられ、前記レンズ枠保持部の外径方向に延出したレンズ枠の係合アーム部に対向する面に前記係合アーム部を押圧する傾斜部を有する傾き調整部材とを有し、
前記傾き調整部材を周回り方向に回転操作することにより、前記傾き調整部材の傾斜部による前記係合アーム部の押圧位置を変位させて前記レンズ枠をレンズの光軸上の点を中心に回転させてレンズの傾き調整を行うようにした、
ことを特徴とする撮像装置。
【手続補正３】
【補正対象書類名】明細書
【補正対象項目名】０００１
【補正方法】変更
【補正の内容】
【０００１】
【発明の属する技術分野】
本発明は、カメラ（撮像装置）等の光学系に用いられるレンズ調芯機構、及びそのレンズ調芯機構を搭載した撮像装置に関する。
【手続補正４】
【補正対象書類名】明細書
【補正対象項目名】０００４
【補正方法】変更
【補正の内容】
【０００４】
そこで本発明の目的は、レンズの傾きを容易かつ自在に調整することができ、また、光軸方向の位置ずれなどを招くことなく有効な調整を行うことができるレンズ調芯機構及び撮像装置を提供することにある。
【手続補正５】
【補正対象書類名】明細書
【補正対象項目名】０００５
【補正方法】変更
【補正の内容】
【０００５】
【課題を解決するための手段】
本発明は前記目的を達成するため、光学機器の鏡筒に配置されるレンズの傾きを調整するレンズ調芯機構において、略円筒状に形成されて内部にレンズを保持するとともに、外周部に径方向に延出した係合アーム部を有するレンズ枠と、前記鏡筒に設けられたレンズ枠保持部であって、前記レンズ枠を収納する略円筒状に形成され、内周部に前記レンズ枠の外周部に摺動自在に嵌合し、前記レンズ枠をレンズの光軸上の点を中心に回転可能にガイドするガイド部を有するとともに、前記レンズ枠の係合アーム部を外径方向に延出させるための切り欠き部を有するレンズ枠保持部と、前記レンズ枠をレンズ枠保持部側に押圧し、レンズ枠の外周部とレンズ枠保持部のガイド部とを嵌合状態に保持するバネ部材と、前記レンズ枠保持部の外周部に沿って略円環状に形成され、周回り方向に回転可能に設けられ、前記レンズ枠保持部の外径方向に延出したレンズ枠の係合アーム部に対向する面に前記係合アーム部を押圧する傾斜部を有する傾き調整部材とを有し、前記傾き調整部材を周回り方向に回転操作することにより、前記傾き調整部材の傾斜部による前記係合アーム部の押圧位置を変位させて前記レンズ枠をレンズの光軸上の点を中心に回転させてレンズの傾き調整を行うようにしたことを特徴とする。
また本発明は、鏡筒に配置されるレンズの傾きを調整するレンズ調芯機構を有する撮像装置において、前記レンズ調芯機構は、略円筒状に形成されて内部にレンズを保持するとともに、外周部に径方向に延出した係合アーム部を有するレンズ枠と、前記鏡筒に設けられたレンズ枠保持部であって、前記レンズ枠を収納する略円筒状に形成され、内周部に前記レンズ枠の外周部に摺動自在に嵌合し、前記レンズ枠をレンズの光軸上の点を中心に回転可能にガイドするガイド部を有するとともに、前記レンズ枠の係合アーム部を外径方向に延出させるための切り欠き部を有するレンズ枠保持部と、前記レンズ枠をレンズ枠保持部側に押圧し、レンズ枠の外周部とレンズ枠保持部のガイド部とを嵌合状態に保持するバネ部材と、前記レンズ枠保持部の外周部に沿って略円環状に形成され、周回り方向に回転可能に設けられ、前記レンズ枠保持部の外径方向に延出したレンズ枠の係合アーム部に対向する面に前記係合アーム部を押圧する傾斜部を有する傾き調整部材とを有し、前記傾き調整部材を周回り方向に回転操作することにより、前記傾き調整部材の傾斜部による前記係合アーム部の押圧位置を変位させて前記レンズ枠をレンズの光軸上の点を中心に回転させてレンズの傾き調整を行うようにしたことを特徴とする。
【手続補正６】
【補正対象書類名】明細書
【補正対象項目名】０００６
【補正方法】変更
【補正の内容】
【０００６】
本発明のレンズ調芯機構及び撮像装置において、レンズを保持したレンズ枠は、その外周部が鏡筒のレンズ枠保持部の内周部に設けたガイド部に摺動自在に嵌合した状態で、バネ部材の押圧力によってレンズ枠保持部内に保持されている。この状態でレンズ枠は、レンズ枠保持部のガイド部に沿って光軸上の点を中心に傾斜可能な状態で保持される。また、レンズ枠の係合アーム部は、レンズ枠保持部の切り欠き部を通して外径方向に延出しており、レンズ枠保持部の外周部に回転自在に配置された傾き調整部材の傾斜部に当接している。この状態で、傾き調整部材を光軸の周回り方向に回転操作することにより、傾き調整部材の傾斜部による係合アーム部の押圧位置をバネ部材の押圧力に抗して変位させると、レンズ枠をレンズの光軸上の点を中心に回転し、レンズの傾き調整を行うことができる。このようにして、レンズの傾きを光軸上の点を中心に自在に調整でき、光軸方向の位置ずれなどを招くことなく有効な調整を行うことができる。また、調整の度に、ネジを外す等の煩雑な作業は不要であり、容易に調整を行うことができる。
【手続補正７】
【補正対象書類名】明細書
【補正対象項目名】００１９
【補正方法】変更
【補正の内容】
【００１９】
【発明の効果】
以上説明したように、本発明のレンズ調芯機構及び撮像装置では、係合アーム部を有するレンズ枠と、レンズ枠を収納し、その外周部をガイドするガイド部を有するレンズ枠保持部と、レンズ枠をレンズ枠保持部側に押圧するバネ部材と、レンズ枠保持部の外周に設けられ係合アーム部に対向する面に係合アーム部を押圧する傾斜部を有する傾き調整部材とを有し、傾き調整部材を周回り方向に回転操作することにより、傾き調整部材の傾斜部による係合アーム部の押圧位置を変位させてレンズ枠をレンズの光軸上の点を中心に回転させてレンズの傾き調整を行うようにした。このため、レンズの傾きを光軸上の点を中心に自在に調整でき、光軸方向の位置ずれなどを招くことなく有効な調整を行うことができる。また、調整の度に、ネジを外す等の煩雑な作業は不要であり、容易に調整を行うことができる。